(57)【特許請求の範囲】
【請求項１】
骨材加熱用のドライヤと、該ドライヤの排気煙道に介在させた集塵機と、ドライヤから排出される骨材を篩い分け・貯蔵・計量・混合するプラント本体を有すると共に、前記ドライヤから排出される被加熱材の供給経路を前記プラント本体内外のいずれかに振り分ける振り分け手段と、前記集塵機の下流に排ガス中の揮発性汚染物質を燃焼分解する脱臭炉とを備えたアスファルトプラントにおいて、汚染土壌の加熱浄化時には、前記振り分け手段を予め回動操作してドライヤから排出される土壌の供給経路をプラント本体外へと振り分けるようにしておき、前記ドライヤに汚染土壌を供給して加熱浄化し、ドライヤから排出される土壌を供給途中で振り分け手段によってプラント本体外へと振り分けて回収する一方、ドライヤから発生する排ガスを集塵機へと導いて汚染物質を含む微細分を捕捉するとともに、集塵機から導出される排ガスを脱臭炉へと導き、該脱臭炉にて排ガス中の揮発性汚染物質を燃焼分解するようにしたことを特徴とする汚染土壌の浄化処理方法。
【請求項２】
集塵機にて捕捉したダストを取り出して加熱し、ダスト中の揮発性汚染物質を燃焼分解するようにしたことを特徴とする請求項１記載の汚染土壌の浄化処理方法。
【請求項３】
前記加熱して高温となった土壌を土壌冷却装置へと導いて所定温度まで冷却するようにしたことを特徴とする請求項１又は２記載の汚染土壌の浄化処理方法。
【請求項４】
骨材加熱用のドライヤと、該ドライヤの排気煙道に介在させた集塵機と、ドライヤから排出される骨材を篩い分け・貯蔵・計量・混合するプラント本体を有したアスファルトプラントにおいて、アスファルトプラントの骨材加熱用のドライヤを骨材加熱用と汚染土壌加熱浄化用との兼用の加熱手段として構成すると共に、ドライヤの排気煙道に介在させた集塵機の下流には排ガス中の揮発性汚染物質を燃焼分解する脱臭炉を配設し、かつ前記ドライヤから排出される被加熱材の供給経路をプラント本体内外のいずれかに振り分ける振り分け手段を備え、ドライヤにて加熱浄化した土壌を供給途中で振り分け手段によってプラント本体外へと振り分けて回収できる構成としたことを特徴とする汚染土壌浄化処理兼用アスファルトプラント。
【請求項５】
集塵機にて捕捉したダストを受け入れてダスト中に含まれる揮発性汚染物質を燃焼分解するダスト浄化処理装置を配設したことを特徴とする請求項４記載の汚染土壌浄化処理兼用アスファルトプラント。
【請求項６】
加熱浄化して高温となった土壌を受け入れて所定温度まで冷却する土壌冷却装置を配設したことを特徴とする請求項４又は５記載の汚染土壌浄化処理兼用アスファルトプラント。
【発明の詳細な説明】
【０００１】
【発明の属する技術分野】
本発明は、軽油、重油などの油分を含んだ汚染土壌を処理する方法に関し、特に道路舗装材を製造するアスファルトプラントを利用して汚染土壌を浄化処理する方法、及びその装置に関する。
【０００２】
【従来の技術】
近年、産業活動に伴って各事業所の敷地内やその周辺地域の土壌が油などの揮発性汚染物質の廃液によって汚染され、その土壌の地下を流れる地下水にまで汚染が及んでいるといったことが取り沙汰されて問題となっている。このように油を含有する土壌を処理するために、その土壌を掘削して汚染土壌の浄化処理プラントにて加熱処理し、土壌にしみ込んでいる揮発性汚染物質を燃焼分解させて土壌の浄化処理を行っている。
【０００３】
【発明が解決しようとする課題】
しかしながら、汚染土壌の浄化処理プラントを新たに設置するとなると、環境面に配慮してそれなりの面積の敷地も確保しなければならないし、また装置コストも高額となるので専用のプラント工場を設置するには経済的な負担も大きいという問題点がある。
【０００４】
本発明は上記の点に鑑み、汚染土壌の浄化処理を低コストにて行える汚染土壌の浄化処理方法、及びその装置を提供することを課題とする。
【０００５】
【課題を解決するための手段】
本発明者らは、汚染土壌を加熱浄化処理する装置として道路舗装材製造用のアスファルトプラントに着目した。アスファルトプラントの設置工場は環境に配慮したそれなりの敷地面積を有し、また土壌汚染処理プラントと兼用できる加熱装置等が設備されている。この敷地と装置を利用してアスファルトプラントを汚染土壌の浄化処理兼用のプラントとすれば低コストにて汚染土壌の浄化処理が実現できると考えた。
【０００６】
即ち、本発明は、骨材加熱用のドライヤと、該ドライヤの排気煙道に介在させた集塵機と、ドライヤから排出される骨材を篩い分け・貯蔵・計量・混合するプラント本体を有したアスファルトプラントにおいて、アスファルトプラントの骨材加熱用のドライヤを骨材加熱用と汚染土壌加熱浄化用との兼用の加熱手段として構成すると共に、ドライヤの排気煙道に介在させた集塵機の下流には排ガス中の揮発性汚染物質を燃焼分解する脱臭炉を配設し、かつ前記ドライヤから排出される被加熱材の供給経路をプラント本体内外のいずれかに振り分ける振り分け手段を備え、ドライヤにて加熱浄化した土壌を供給途中で振り分け手段によってプラント本体外へと振り分けて回収できる構成としたことを特徴としている。
【０００７】
また、集塵機にて捕捉したダストを受け入れてダスト中に含まれる揮発性汚染物質を燃焼分解するダスト浄化処理装置を配設したことを特徴としている。
【０００８】
また、加熱浄化して高温となった土壌を受け入れて所定温度まで冷却する土壌冷却装置を配設したことを特徴としている。
【０００９】
【発明の実施の形態】
本発明によれば、アスファルトプラントの設備を利用して汚染土壌の浄化処理を行うもので、骨材加熱用のドライヤ、即ち、アスファルトプラントにて設置される新規骨材加熱用のドライヤもしくはアスファルト舗装廃材加熱用のドライヤのいずれかを利用して汚染土壌の加熱を行う。また、アスファルトプラントにおいて汚染土壌の浄化処理が行えるように、脱臭炉などの必要な設備を追加設置している。更にドライヤから排出される被加熱材の供給経路をプラント本体内外のいずれかに振り分ける振り分け手段を備え、ドライヤにて加熱浄化した土壌を供給途中で前記振り分け手段によってプラント本体外へと振り分けて回収できる構成としている。
【００１０】
そして、汚染土壌を浄化処理するときには、汚染土壌をドライヤに連続的に投入していく。ドライヤに投入された汚染土壌はドライヤ内を転動流下する間にバーナからの熱風に晒され、土壌中の油などの揮発性汚染物質の一部は揮発分離または燃焼分解されていく一方、土壌中の揮発性汚染物質を多く含む微粒分はドライヤのガス流に同伴してドライヤ下流へと飛散していく。このドライヤでの汚染物質の揮発と飛散とによって、ドライヤから排出される土壌は汚染濃度の低い浄化されたものとなる。なお、ドライヤから排出される土壌は、供給途中で振り分け手段によってプラント本体外へと振り分けて回収される。
【００１１】
一方、ドライヤのガス流に乗って飛散する微粒分は集塵機へと導かれて捕捉される。そして集塵機を通過した排ガスは脱臭炉へと導かれ、脱臭炉では排ガス中に含まれる汚染物質の揮発分が高温に晒され、燃焼分解して浄化処理される。
【００１２】
このように、アスファルトプラントを汚染土壌浄化処理兼用のプラントとすれば、新たに専用の汚染土壌浄化処理プラントとして設置するよりも設備投資を抑えられ、低コストにて汚染土壌の浄化処理を実現できる。
【００１３】
また、集塵機にて捕捉したダストを受け入れてダスト中に含まれる揮発性汚染物質を燃焼分解するダスト浄化処理装置を配設したので、集塵機にて捕捉したダストをダスト浄化処理装置に供給して付着している揮発性汚染物質を燃焼分解できる。これによって汚染土壌は完全に浄化処理でき、汚染土壌の浄化処理に好適なプラントとなる。
【００１４】
また、加熱浄化した土壌を受け入れて冷却する土壌冷却装置を配設したので、高温の土壌を土壌冷却装置に供給して所定温度まで冷却することができる。これによって浄化処理直後の土壌でも取り扱い容易となり、汚染土壌の浄化処理に一層好適なプラントとなる。
【００１５】
【実施例】
以下、本発明の実施例を図面に基づいて説明する。
【００１６】
図１は汚染土壌浄化処理兼用のアスファルトプラントであって、先ず、公知のアスファルトプラントの装置構成について説明すると、図中の１は新規骨材を加熱するドライヤであって、内周部に多数の掻き上げ羽根（図示せず）を周設した円筒状のドラム２を機台３上に回転自在に傾斜支持し、駆動装置（図示せず）により所定の速度で回転させるようにしており、ドラム２の一端部のホットホッパ４に配設したバーナ５よりドラム２内に熱風を送り込む一方、他端部のコールドホッパ６には排気煙道７を連結しており、該排気煙道７に介在させた排風機８によって排ガスを吸引してドラム２内を通過する高温ガス流を維持すると共に、バグフィルタなどの集塵機９を経由させて排ガス中のダストを捕捉して煙突１０より放出している。
【００１７】
そして、粒度別に新規骨材を貯蔵している骨材ホッパ群（図示せず）から骨材を所定量ずつ払い出し、払い出した骨材をベルトコンベヤ１１を介してドラム２内に送り込み、掻き上げ羽根で掻き上げながらドラム２内を転動流下させる間に高温ガス流と接触させ、所望温度まで昇温させてホットホッパ４より排出している。
【００１８】
ドラム２より排出した骨材は、排出シュート１２を介して垂直搬送装置であるバケットエレベータ１３へ投入し、このバケットエレベータ１３によってプラント本体１４上部まで持ち上げ、バケットエレベータ１３上部の排出シュート１５を介してプラント本体１４最上部の振動篩１６に投入し、粒度別に篩い分けて骨材貯蔵ビン１７の各区画室に貯蔵する。
【００１９】
骨材貯蔵ビン１７の各区画室の下端にはそれぞれ骨材排出用の排出ゲート（図示せず）を備えており、その下位には重量検出器にて支持する骨材計量槽１８を配設すると共に、石粉貯蔵ビン１９のスクリューフィーダ２０にて供給される石粉を計量する石粉計量槽２１、アスファルトを計量するアスファルト計量槽２２を配設し、更にその下位にはミキサ２３を配設しており、所定量の各材料を上記各計量槽にて計量し、ミキサ２３にて混合調整して所望のアスファルト混合物を生産している。
【００２０】
上記公知のアスファルトプラントの構成に加えて、排気煙道７の排風機８と煙突１０の間には脱臭炉２４を介在させており、該脱臭炉２４の一端には炉内温度を所定値に維持するためのバーナ２５を備えており、炉内に導入するドライヤ１からの排ガスを高温雰囲気に晒し、排ガス中に含まれる油などの揮発性汚染物質を燃焼分解してから煙突１０より排気するようにしている。なお、脱臭炉２４は揮発性汚染物質が完全に燃焼分解できるように、炉内温度を例えば、略７５０℃以上の高温を維持するようにバーナ２５の燃焼量をコントロールすると共に、排ガスが炉内を通過するのに少なくとも１乃至２秒以上かかる程度の炉長を確保することが好ましい。
【００２１】
２６、２７は熱交換器であって、前記脱臭炉２４から排出される高温の排ガスが有する排ガス熱を有効利用するためのものであり、熱交換器２６はドライヤ１から脱臭炉２４へ導入する排ガスの予熱を、また熱交換器２７は燃焼用空気供給ファン２８から脱臭炉２４のバーナ２５へ供給する燃焼用空気の予熱を図っている。
【００２２】
また、バケットエレベータ１３の排出シュート１５の途中には分岐シュート２９を配設しており、該分岐シュート２９の分岐部には排出シュート１５を流れる材料がアスファルト混合物製造用の骨材か、或いは加熱浄化した土壌かによって排出方向を振り分ける経路変更用ダンパー３０を回動自在に配設しており、図中の実線で示すように位置した時には分岐シュート２９側へ、また二点鎖線で示すように位置した時には振動篩１６側へ流れるようにしている。そして、分岐シュート２９側に流れた土壌は浄化処理された土壌として回収される。
【００２３】
また、集塵機９にて捕捉したダストには多量の揮発性汚染物質が含まれており、このダストを浄化処理させるためにダスト浄化処理装置３１を設置している。このダスト浄化処理装置３１は新規骨材を加熱するドライヤ１と略同構造であって、内周部に多数の掻き上げ羽根を周設した円筒状のドラム３２を機台３３上に回転自在に傾斜支持し、駆動装置（図示せず）により所定の速度で回転させるようにしており、ドラム２の一端部のホットホッパ３４に配設したバーナ３５よりドラム３２内に熱風を送り込む一方、他端部のコールドホッパ３６には排気煙道３７を連結しており、該排気煙道３７に介在させた排風機３８によって排ガスを吸引してドラム３２内を通過する高温ガス流を維持すると共に、排気煙道３７を集塵機９の手前の排気煙道７に連結している。そして、集塵機９にて捕捉したダストをダスト浄化処理装置３１のホットホッパ３４側に投入する構造とし、並流加熱方式によって加熱している。
【００２４】
また、加熱浄化して高温になった土壌を冷却する手段として土壌冷却装置３９を配設しており、前記分岐シュート２９の先端を土壌冷却装置３９に連結している。土壌冷却装置３９には前記ドライヤ１のドラム２と略同様の構成をしたドラム４０を備えており、内周部に多数の掻き上げ羽根（図示せず）を周設した円筒状のドラム４０を機台４１上に回転自在に傾斜支持し、駆動装置（図示せず）により所定の速度で回転させるようにしている。
【００２５】
そして、ドラム４０の一端部の投入ホッパ４２にはバーナに代えて水噴霧ノズル４３を配設しており、ドラム４０内に投入した高温土壌に水を噴霧し、適当に湿潤、冷却して取り扱いに適した状態とするようにしている。この水噴霧ノズル４３から噴霧する水量は、土壌冷却装置３９へ投入する土壌の量と温度とを適宜検出手段によって検出し、最適な水量を決定して噴霧するようにすると、投入する土壌の量や温度が変化しても加湿過多による付着や詰まりを防止できると共に、加湿不足による粉塵の発生も防止できる。また、土壌冷却装置３９の排出ホッパ４４に排気ダクト４５を連結し、該排気ダクト４５の末端を排気煙道７に連結し、土壌冷却装置３９内で発生する水蒸気を排気ダクト４５を介して排気煙道７へ導出するようにしている。
【００２６】
なお、ドライヤ１にて加熱浄化した土壌を土壌冷却装置３９に供給する手段として、バケットエレベータ１３、分岐シュート２９を介して供給するとしたが、ドライヤ１の排出シュート１２に振り分け手段等を配設し、加熱土壌を点線の矢印に示すようにして土壌冷却装置３９へ供給するようにしても良い。
【００２７】
しかして、上記構成としたアスファルトプラントによって汚染土壌を浄化処理するときには、先ず、汚染土壌を図示しない前処理装置である篩や磁選機にてオーバーサイズのものや異物を除去した後、ベルトコンベヤ１１を介してドライヤ１に投入し、バーナ５からの熱風に晒して汚染土壌を所定温度まで加熱する。この加熱によって汚染土壌中の揮発性汚染物質は、揮発分離、或いは燃焼分解させられる一方、ドライヤ１内を通過するガス流に乗って土壌中の揮発性汚染物質を多く含む微粒分がドライヤ１下流へと飛散し、土壌の浄化が行われる。
【００２８】
そして、ドライヤ１から導出される排ガスは集塵機９へと導かれ、集塵機９にて汚染物質を多く含む微細分が捕捉される。そして集塵機９を通過した排ガスは、脱臭炉２４へと導かれて炉内の高温雰囲気に晒され、排ガス中に残る揮発性汚染物質が完全に燃焼分解される。
【００２９】
一方、ドライヤ１内の土壌は、ホットホッパ４側から順次排出され、バケットエレベータ１３を介してプラント本体１４上位まで持ち上げられ、排出シュート１５から排出されていく。このとき、経路変更用ダンパー３０は図１中の実線位置へ回動させており、排出シュート１５より流下してくる土壌を分岐シュート２９側へと落下させ、土壌冷却装置３９へと投入していく。そして、土壌冷却装置３９に投入された土壌は、撹拌羽根によって転動流下させながら水噴霧ノズル４３より水を噴霧され、適当に湿潤、冷却して取り扱いに適した状態となる。
【００３０】
また、集塵機９にて捕捉したダストには多量の揮発性汚染物質が付着しており、このダストを浄化処理するために、ダスト浄化処理装置３１に供給する。ダスト浄化処理装置３１内に供給されたダストはバーナ３５の熱風に晒され、ダスト中の揮発性汚染物質が燃焼分解される。このダスト浄化処理装置３１にて加熱浄化されたダストは土壌冷却装置３９へと供給され、所定温度まで冷やされる。
【００３１】
このように、アスファルトプラントに脱臭炉２４、ダスト浄化処理装置３１、土壌冷却装置３９などを追加設備し、アスファルトプラントを汚染土壌浄化処理可能なプラントとすれば、専用の汚染土壌浄化処理プラントを設置するよりも設備投資を抑えられ、低コストにて汚染土壌の浄化処理を実現できる。また、アスファルトプラントを汚染土壌浄化兼用のプラントとすればプラントの稼働率も向上し、プラントを効率よく使用できる。
【００３２】
また、図２はダスト浄化処理装置３１と土壌冷却装置３９の他の実施例を示したものであって、図２において図１と同一符号は、同一構成要素を示し、その説明は省略する。
【００３３】
図２中のダスト浄化処理装置３１を簡単に説明する。ダスト浄化処理装置３１は、排ガスを利用して集塵機９の捕捉ダストを間接加熱する構造となっており、ケーシング４６内にダストを移送するスクリュー４７を配設すると共に、ケーシング４６周囲をカバー筒４８にて包囲している。前記カバー筒４８の一端部には脱臭炉２４の熱風を導入する熱風ダクト４９を連結すると共に、他端部には熱風を吸引排気するファン５０を介在させた排気ダクト５１を連結している。また、ケーシング４６には発生する揮発分を排気するファン５２を介在させた排気ダクト５３を連結している。
【００３４】
そして、集塵機９にて捕捉したダストをケーシング４６内に投入し、スクリュー４７にて移送させながら、カバー筒４８内に熱風を通過させ、間接加熱によってダスト中の揮発性汚染物質を燃焼分解する。なお、加熱時のダスト飛散を避けるために間接加熱方式を採用したが、熱風をケーシング４６内に導入してダストを直接加熱しても良く、この場合には排ガスを集塵機９へと導くようにすると良い。
【００３５】
また、図２中の土壌冷却装置３９は、ケーシング５４内に撹拌羽根５５を適宜間隔で取り付けた軸体５６を貫通させて両端部を回転自在に軸支し、駆動装置（図示せず）にて所定速度で回転させるようにすると共に、ケーシング５４の一端に土壌の供給口５７を、他端に排出口５８を備えており、前記供給口５７に分岐シュート２９の先端を連結している。
【００３６】
また、ケーシング５４には水噴霧ノズル５９を備えており、ケーシング５４内に投入した高温の土壌を撹拌羽根５５にて撹拌しながら水噴霧ノズル５９より水を噴霧し、適当に湿潤、冷却して取り扱いに適した状態として排出口５８から順次排出する。また、ケーシング５４にて発生する水蒸気は排気ダクト６０を介して排気煙道７へと導出している。
【００３７】
このように、土壌冷却装置３９として連続式ミキサ方式を採用すれば、撹拌羽根５５によって乾燥した土壌と水とを一層均一に混合でき、取り扱いに適した土壌を安定して得ることができる。
【００３８】
また、図３はアスファルトプラントにアスファルト舗装廃材加熱用のドライヤ６１を並設したタイプのものであり、このタイプのアスファルトプラントでは、新規骨材を加熱するドライヤ１にて汚染土壌を浄化処理することもできるが、アスファルト舗装廃材を加熱するドライヤ６１を利用して浄化処理することもできる。以下、ドライヤ６１を利用して汚染土壌を浄化処理することについて説明する。なお、図３において図１と同一符号は、同一構成要素を示し、その説明は省略する。
【００３９】
アスファルト舗装廃材加熱用のドライヤ６１は新規骨材加熱用のドライヤ１とほぼ同様の構成をしており、内周部に多数の掻き上げ羽根（図示せず）を周設した円筒状のドラム６２を機台６３上に回転自在に傾斜支持し、駆動装置（図示せず）により所定の速度で回転させるようにしており、ドラム６２の一端部のホットホッパ６４に配設したバーナ６５よりドラム６２内に熱風を送り込む一方、他端部の貯蔵ビン６６には排気煙道６７を連結しており、該排気煙道６７途中に介在させた排風機６８にて排ガスを吸引してドラム６２内を通過する高温ガス流を維持すると共に、サイクロン集塵機などの集塵機６９を経由させて排ガスを脱臭炉２４に導いている。
【００４０】
そして、アスファルト舗装廃材をベルトコンベヤ７０を介してドラム６２内へ投入し、転動流下する間にバーナ６５からの熱風に晒して加熱して貯蔵ビン６６に貯留した後、下位の計量槽７１に適宜払い出して計量し、排出シュート７２を介してプラント本体１４のミキサ２３に払い出し、新規のアスファルト混合物へ所定比率で混入してアスファルト舗装廃材の再利用を図っている。なお、図中では排出シュート７２にてミキサ２３に供給しているが、コンベヤ等により搬送しても良い。
【００４１】
また、ドライヤ６１にて加熱浄化した土壌を土壌冷却装置３９に供給するために、排出シュート７２の途中に分岐シュート７３を配設しており、該分岐シュート７３の分岐部にはアスファルト舗装廃材か、或いは加熱浄化した土壌かによって排出方向を振り分ける手段として経路変更用ダンパー７４を回動自在に配設しており、図中の実線で示すように位置した時には分岐シュート７３側へ、また二点鎖線で示すように位置した時にはミキサ２３側へ流れるようにしている。
【００４２】
そして、分岐シュート７３先端を土壌冷却装置３９の投入ホッパ４２へ連結し、浄化処理した土壌は土壌冷却装置３９へと投入するようにしている。なお、ドライヤ６１にて加熱浄化した土壌を土壌冷却装置３９に供給する手段として、排出シュート７２、分岐シュート７３を介して供給するとしたが、何らこれに限定するものでなく、要はドライヤ６１から排出されるものをミキサ２３と土壌冷却装置３９に振り分け供給できる構成とすれば良い。
【００４３】
なお、集塵機６９にて捕捉したダストは、前記したのと同様に、ダスト浄化処理装置３１に供給するようにしており、ダスト浄化処理装置３１の排気ダクト３７は集塵機６９手前の排気煙道６７に連結している。
【００４４】
しかして、前記した装置で汚染土壌を浄化処理する場合には、汚染土壌をベルトコンベヤ７０を介してドライヤ６１に投入し、所定温度まで加熱する。この加熱によって汚染土壌中の油などの揮発性汚染物質は、揮発分離、或いは燃焼分解させられる一方、ドラム６２内を通過するガス流に乗って土壌中の揮発性汚染物質を多く含む微粒分がドライヤ６１下流へと導出され、汚染土壌は浄化される。
【００４５】
そして、ドライヤ６１から導出される排ガスを集塵機６９へ導いてダストを捕捉した後、脱臭炉２４へと導入して炉内の高温雰囲気に晒し、排ガス中に残る揮発性汚染物質を完全に燃焼分解して煙突１０より大気中へ放出する。
【００４６】
一方、浄化処理された土壌は、ドライヤ６１下流の排出シュート７２より適宜払い出される。このとき、経路変更用ダンパー７４は図３の実線位置へ回動させており、排出シュート７２より流下してくる土壌を分岐シュート７３を経由させて土壌冷却装置３９へと投入し、水を噴霧して適当に湿潤、冷却して取り扱いに適した状態とする。
【００４７】
このように、アスファルトプラントにアスファルト舗装廃材加熱用のドライヤ６１を並設したタイプのものであれば、新規骨材加熱用のドライヤ１に代えてアスファルト舗装廃材加熱用のドライヤ６１を利用して汚染土壌を浄化処理することもできる。
【００４８】
以上のように本発明は、アスファルトプラントの骨材加熱用のドライヤを骨材加熱用と汚染土壌加熱浄化用との兼用の加熱手段として構成すると共に、ドライヤの排気煙道に介在させた集塵機の下流には排ガス中の揮発性汚染物質を燃焼分解する脱臭炉を配設し、かつ前記ドライヤから排出される被加熱材の供給経路をプラント本体内外のいずれかに振り分ける振り分け手段を備え、ドライヤにて加熱浄化した土壌を供給途中で前記振り分け手段によってプラント本体外へと振り分けて回収できる構成としたので、汚染土壌の浄化処理をアスファルトプラントの設備を利用して実施でき、専用の汚染土壌の浄化処理プラントを設置するよりも設備投資を抑えられ、低コストにて汚染土壌の浄化処理を実現できる。
【００４９】
また、集塵機にて捕捉したダストを受け入れて微粒分中に含まれる揮発性汚染物質を燃焼分解するダスト浄化処理装置を配設したので、集塵機にて捕捉したダストも浄化処理でき、汚染土壌の浄化処理に好適なプラントとなる。
【００５０】
また、ドライヤから排出される高温土壌を冷却する土壌冷却装置を配設したので、高温の土壌を冷却して取り扱いやすいやすいものとでき、汚染土壌の浄化処理に一層好適なプラントとなる。
【図面の簡単な説明】
【図１】本発明に係る汚染土壌浄化処理兼用アスファルトプラントの一実施例を示す概略構成図である。
【図２】図１の別の実施例を示す図である。
【図３】図１の別の実施例を示す図である。
【符号の説明】
１…ドライヤ（新規骨材加熱用）    ９…集塵機
１３…バケットエレベータ          １４…プラント本体
２３…ミキサ                      ２４…脱臭炉
２９…分岐シュート                ３０…経路変更用ダンパー
３１…ダスト浄化処理装置          ３９…土壌冷却装置
６１…ドライヤ（アスファルト舗装廃材加熱用）
６９…集塵機                      ７２…排出シュート
７３…分岐シュート                ７４…経路変更用ダンパー
【図１】
0005129913.tif 000002
【図２】
0005129913.tif 000003
【図３】
0005129913.tif 000004